(57)【要約】【課題】複数の電子カメラを相互に通信制御することにより、他の電子カメラのリモートコントロール装置として利用できるようにする電子カメラを提供することである。【解決手段】通信機能を有した電子カメラにおいて、自己コントロールモードとリモートコントロールモードを有し、自己コントロールモードでは利用者の各種操作に対応する機能設定を自らに行い、リモートコントロールモードでは利用者の各種操作に対応する機能設定を他の電子カメラに通信機能を介して送信する機能を有することを特徴とする電子カメラを提供する。また、通信機能を有した電子カメラにおいて、他の電子カメラから送信された情報を受信し、その情報に応じてカメラ撮影条件等、各種設定を行う被リモートコントロールモードを有することを特徴とする電子カメラを提供する。【選択図】        図１
2005051340.tif 000002
【特許請求の範囲】
【請求項１】
通信機能を有した電子カメラにおいて、自己操作モードと遠隔操作モードを有し、自己操作モードでは利用者の各種操作に対応する機能設定を該電子カメラに行い、遠隔操作モードでは利用者の各種操作に対応する機能設定を、通信機能を介して第２の電子カメラに送信する機能を有することを特徴とする電子カメラ。
【請求項２】
撮影前の画像を表示するモニタを有し、遠隔操作モード時には該遠隔操作下にある第２の電子カメラが撮影する画像情報を受信して該モニタに表示することを特徴とする請求項１に記載の電子カメラ。
【請求項３】
遠隔操作時にシャッターを押下することによって、該遠隔操作下にある第２の電子カメラで撮影を行うことを特徴とする請求項１に記載の電子カメラ。
【請求項４】
遠隔操作時のカメラの操作情報を操作したデバイス及び操作方法の情報に置き換えることによって、該情報を通信機能を介して第２の電子カメラに送信することを特徴とする請求項１に記載の電子カメラ。
【請求項５】
遠隔操作時のカメラの操作情報として操作したデバイス及び操作方法に対応する機能をコマンドに変換し、通信機能を介して第２の電子カメラに該機能制御コマンドを送信することを特徴とする請求項１に記載の電子カメラ。
【請求項６】
該送信したコマンドが、該送信先の第２の電子カメラに対応されていない機能であった場合に該モニタ画面にエラー表示することを特徴とする請求項２及び請求項５に記載の電子カメラ。
【請求項７】
該送信したコマンドが、該送信先の第２の電子カメラに対応されていない機能であった場合に該モニタ画面にエラー表示しないで次の操作を進めることができることを特徴とする請求項２及び請求項５に記載の電子カメラ。
【請求項８】
通信機能を有した電子カメラにおいて、第２のカメラを遠隔操作中であることを表示する手段を有することを特徴とする請求項１及び請求項２に記載の電子カメラ。
【請求項９】
該第２のカメラを遠隔操作中であることを表示する手段が電子カメラの操作面側の簡略図であることを特徴とする請求項８に記載の電子カメラ。
【請求項１０】
通信機能を有した電子カメラにおいて、第１の電子カメラから送信された情報を受信し、その情報に応じてカメラ撮影条件等、各種設定を行う被遠隔操作モードを有することを特徴とする電子カメラ。
【請求項１１】
被遠隔操作モード時には該操作情報を送信した該第１の電子カメラに対して撮影前画像情報を送り返すことを特徴とする請求項１０に記載の電子カメラ。
【請求項１２】
被遠隔操作モード時には操作情報を送信した該第１の電子カメラでシャッターを押下すると撮影を行うことを特徴とする請求項１０に記載の電子カメラ。
【請求項１３】
被遠隔操作モード時には該第１の電子カメラから操作を行ったデバイスとその操作の内容に関する情報を受信し、受信した操作と対応する機能を判定して、デバイス操作に応じた制御を行うことを特徴とする請求項１０に記載の電子カメラ。
【請求項１４】
被遠隔操作モード時には該第１の電子カメラから設定するべきコマンド情報を受信し、受信したコマンドに対応する機能があるかどうかを判定して、該コマンドに対応する機能がある場合には該コマンドに対応した制御を行い、該コマンドに対応する機能がない場合には該第１の電子カメラにエラーを返すことを特徴とする請求項１０に記載の電子カメラ。
【請求項１５】
通信機能を有した電子カメラにおいて、第１のカメラから遠隔操作中であることを表示する手段を有することを特徴とする請求項１０に記載の電子カメラ。
【請求項１６】
該第１のカメラから遠隔操作中であることを表示する手段が電子カメラのレンズ面側の簡略図であることを特徴とする請求項１５に記載の電子カメラ。
【請求項１７】
通信機能を有した電子カメラで、遠隔操作するべき第１の電子カメラを検索するための信号を発信する検索信号発信手段と、検索信号に応答した該第１の電子カメラの応答信号を受信する手段を有し、該発信信号に対して応答を返した該第１の電子カメラが存在するときに被遠隔操作モードに移行することを特徴とする請求項１０に記載の電子カメラ。
【請求項１８】
遠隔操作を行う第１の電子カメラに対して、被遠隔操作モードになったことを通知する通知手段を有することを特徴とする請求項１７に記載の電子カメラ。
【請求項１９】
被遠隔操作モード中に任意のカメラ操作を行うことによって被遠隔操作モードを終了手段と、被遠隔操作モード終了時に遠隔操作モードにある第１の電子カメラに対して被遠隔操作モードが終了したことを通知する手段を有することを特徴とする請求項１０に記載の電子カメラ。
【請求項２０】
通信機能を有した電子カメラで、遠隔操作するべき電子カメラを検索するために第２の電子カメラより発信された信号を受信する検索信号受信手段と、該第２の電子カメラに該受信信号に対する応答信号を発信する手段を有し、該応答信号に対して該第２のカメラが被遠隔操作モードになったことを通知した場合に該第２のカメラに対する遠隔操作モードに移行することを特徴とする請求項１に記載の電子カメラ。
【請求項２１】
遠隔操作モードを終了する手段と、遠隔操作モードを終了したときに被遠隔操作モードにある第２の電子カメラに対して遠隔操作モードが終了したことを通知する手段を有する請求項１に記載の電子カメラ。
【発明の詳細な説明】
【０００１】
【発明の属する技術分野】
本発明は画像を撮影するための電子カメラに関するものであり、特に複数のカメラ間で通信を行って撮影、その他の操作を制御するための手法に関するものである。
【０００２】
【従来の技術】
静止画像や動画像を撮影するための電子カメラは、光学的なメカニズムを持つカメラに代わって広く普及してきている。これら電子カメラでは、撮影前に撮影するべき画像を確認できるようモニタ画面を装備しているものが多数開発されている。また、シャッター制御をリモートコントローラで行えるようにして、ユーザの便宜を図ったものがある。
【０００３】
さて、このような電子カメラにおいて撮影を行う場合、たとえば室内で撮影を行う場合に天井に近い位置にカメラを配置して室内を撮りおろしたい場合には、予めズーム機能等撮影条件を設定し、カメラを配置した上でリモートコントローラを使用して撮影をする。また、壁際にカメラを配置しないと被写体物が一枚の画像に納まりきらない場合にも、予めカメラで撮影条件を設定し、カメラを壁際に配置して撮影を行い、撮影が終了した後でカメラのモニタ画面で撮影結果を確認することが多い。ビデオカメラの場合には、画像データをリモートコントローラ側に送信して、リモートコントローラ側で撮影画像をモニタできるものも開発されている（例えば、特許文献１参照。）。また、カメラを遠隔操作する方法も開発されている（例えば、特許文献２参照）。
【０００４】
さて、近年の電子カメラでは、高機能化、多機能化が進み多種多様の撮影条件の設定や撮影以外でも多様な機能が提供されるようになった。これらのカメラにもリモートコントロール機能も提供されているが、リモートコントロール装置では撮影時に必要なシャッター、ズーム機能等ごく基本的なの機能しかサポートされていないことが多い。
【０００５】
また、複雑な機能までサポートするリモートコントロール装置の場合、通常携帯性を考慮して作成されるため、カメラ本体を直接操作して機能設定する場合と操作性が異なる。
【０００６】
その結果、カメラ操作者はカメラを直接操作する時の操作方法とリモートコントロール装置の操作方法を別々に覚えなければならないという問題があった。
【０００７】
その改善点として、カメラ自体を遠隔操作装置としてカメラ操作を制御する装置も開発されている（例えば、特許文献３参照。）。
【０００８】
【特許文献１】
特開平７−３８７９７号公報
【特許文献２】
特開２００２−６４７４０号公報
【特許文献３】
特開２００１−１６３４４号公報
【０００９】
【発明が解決しようとする課題】
カメラ自体をカメラから遠隔操作を行う場合、次のような３つの課題がある。
【００１０】
１つは遠隔操作を行うためのカメラ同士での制御権の簡便な受け渡し方法を提供することである。近年の電子カメラは高機能化、多機能化が進むと同時に小型化も進んでいるため、操作のために使用できるボタン、スイッチ等の個数は無制限に増やすことが出来ない。限られた操作方法で相互の制御関係の確立及び解消を行う必要がある。
【００１１】
２つ目の課題はカメラが遠隔制御中であるか否かを簡便に識別させる方法を提供することである。特許文献３では遠隔装置側のカメラに対して制御権を有していることを表示する手段が提供されている。が、撮影側のカメラが外部から遠隔制御されているかどうかはわからない。特に３台以上のカメラが同時に同じ場所にある場合等には、どのカメラが操作側で、どのカメラが撮影側であるのかが、容易に識別できる方法が提供されることが望まれる。
【００１２】
３つ目の課題は、異なる機種のカメラを相互に接続した場合にいかにして遠隔操作を行うかである。通常、カメラの機種が異なれば、機能、操作性が異なる。
但し、全く同一ではなくても類似機能が提供されているカメラは多い。類似機能を以下に対応付けて異なる機種のカメラでも遠隔操作ができるようにすることが本発明の課題である。
【００１３】
本発明は、上記従来技術の問題点を解決するために提案されたものであり、その目的とするところは、複数の電子カメラを相互に通信制御することにより、他の電子カメラのリモートコントロール装置として利用できるように制御権を確立し、またその確立された制御状態が相互の電子カメラで容易にわかるように表示できる電子カメラを提供することである。
【００１４】
また、相互に接続する電子カメラが異なる機種であっても、操作を行う側の電子カメラの操作性を生かして遠隔操作を行うことのできる電子カメラ間の通信方法を提供することである。
【００１５】
【課題を解決するための手段】
上記目的を達成するため本発明では、通信機能を有した電子カメラにおいて、自己操作モードと遠隔操作モードを有し、自己操作モードでは利用者の各種操作に対応する機能設定を電子カメラに行い、遠隔操作モードでは利用者の各種操作に対応する機能設定を、通信機能を介して第２の電子カメラに送信する機能を有することを特徴とする電子カメラを提供する。
【００１６】
さらに、本発明では、撮影前の画像を表示するモニタを有し、遠隔操作モード時には遠隔操作下にある第２の電子カメラが撮影する画像情報を受信してモニタに表示することを特徴とする電子カメラを提供する。
【００１７】
さらに、本発明では、遠隔操作時にシャッターを押下することによって、遠隔操作下にある第２の電子カメラで撮影を行うことを特徴とする電子カメラを提供する。
【００１８】
さらに、本発明では、相互に通信する電子カメラが同一機種であれば、遠隔操作時のカメラの操作情報を操作したデバイス及び操作方法の情報に置き換えることによって、その情報を通信機能を介して第２の電子カメラに送信することを特徴とする電子カメラを提供する。
【００１９】
さらに、本発明では、相互に通信する電子カメラが異機種の場合には、遠隔操作時のカメラの操作情報として操作したデバイス及び操作方法に対応する機能をコマンドに変換し、通信機能を介して第２の電子カメラに機能制御コマンドを送信することを特徴とする電子カメラを提供する。
【００２０】
また、本発明では通信機能を有した電子カメラにおいて、第１の電子カメラから送信された情報を受信し、その情報に応じてカメラ撮影条件等、各種設定を行う被遠隔操作モードを有することを特徴とする電子カメラを提供する。
【００２１】
さらに、本発明では被遠隔操作モード時には該操作情報を送信した第１の電子カメラに対して撮影前画像情報を送り返すことを特徴とする電子カメラを提供する。
【００２２】
さらに、本発明では、被遠隔操作モード時には操作情報を送信した第１の電子カメラでシャッターを押下すると撮影を行うことを特徴とする電子カメラを提供する。
【００２３】
さらに、本発明では、通信を行う電子カメラが同一機種の場合、被遠隔操作モード時には第１の電子カメラから操作を行ったデバイスとその操作の内容に関する情報を受信し、受信した操作と対応する機能を判定して、デバイス操作に応じた制御を行うことを特徴とする電子カメラを提供する。
【００２４】
さらに、本発明では、通信を行う電子カメラが異機種の場合、被遠隔操作モード時には第１の電子カメラから設定するべきコマンド情報を受信し、受信したコマンドに対応する機能があるかどうかを判定して、該コマンドに対応する機能がある場合には該コマンドに対応した制御を行い、該コマンドに対応する機能がない場合には該第１の電子カメラにエラーを返すことを特徴とする電子カメラを提供する。
【００２５】
さらに、本発明では、通信機能を有した電子カメラにおいて、遠隔操作中の電子カメラには電子カメラの操作面側の簡略図で表示し、被遠隔操作中の電子カメラには電子カメラのレンズ面側の簡略図で表示することによって、簡便にそのカメラの遠隔操作状態が識別できることを特徴とする電子カメラを提供する。
【００２６】
また、本発明では、相互の電子カメラ間で通信を行うことによって、簡便に遠隔操作モードの成立、及び終了を制御するための手段を提供する。
【００２７】
【発明の実施の形態】
以下に、図面を参照して、本発明の好適な実施形態を例示的に詳しく説明する。尚、本実施の形態では電子カメラは無線ＬＡＮインタフェースを搭載し、外部機器との通信を行っているが、通信の形態は赤外線を使用しても構わないしそれ以外の通信形態を限定するものではない。
【００２８】
＜デジタルカメラの構成＞
図１は本発明の一実施形態として、デジタル画像データを撮影する電子カメラの外観を示した図である。
【００２９】
図１において１０１はモード切り替えボタンである。このボタンを操作することによって電子カメラの撮影モードと再生モードを切り替えることができる。
【００３０】
１０２はシャッターボタンである。通常電子カメラでは、撮影モードでシャッターボタン１０２を押下することによって撮影を行うが、本実施の形態では、それ以外に、再生モードでシャッターボタン１０２を押下することによって、外部のカメラとの通信操作を行う。
【００３１】
１０３はモニタ画面である。撮影モードではモニタ画面１０３を通してこれから撮影する画像のプレビュー表示を行うことができる。また、再生モードでは今までに撮影された画像の閲覧をすることができる。
【００３２】
１０４はメニューボタンである。このボタンを押下するとモニタ画面１０３に各種操作に関するメニューが表示され、ＳＥＴボタン１０５及びメニュー選択項目の編集用のボタン１０６（上下左右）を使用して、種々の設定を行うことができる。
【００３３】
図２は本発明の実施形態に挙げた画像入力装置の構成を示すブロック図である。
【００３４】
２０７は撮像素子であり、受光面に結像された光学像を、電気信号に変換する素子である。一般的に該撮像素子２０７は、ＣＣＤ、ＣＭＯＳセンサ等の半導体固体撮像素子が利用されている。受光部に結像された光学像は、２次元に配列された多くのフォトダイオードで、電気信号に一括変換され、走査処理により順次、出力アンプを通して外部の出力される。
【００３５】
ここで、説明の便宜上、半導体固体撮像素子を上げたが、本実施形態は、これに限るものではなく、撮像菅等の素子の場合もある。
【００３６】
２０６は、該撮像素子２０７への露光量を制御するためのシャッター機構である。レンズ２０１に入射した被写体光学像の光線は、絞り２０２、ミラー２０３、シャッター２０６を介して、該撮像素子２０７上に導かれ、光学像として該撮像素子２０７の受光面上に結像する。
【００３７】
２０８は、該撮像素子２０７のアナログ信号出力をデジタル信号に変換するＡ／Ｄ変換器である。
【００３８】
２０９は該撮像素子２０７，該Ａ／Ｄ変換器２０８，Ｄ／Ａ変換器２１２などにクロック信号や制御信号を供給するＴＧ（タイミング発生回路）であり、メモリコントローラ２３１及びシステムコントローラ２１８により制御される。
【００３９】
２１０は画像処理プロセッサであり、該Ａ／Ｄ変換器２０８からのデータ或いは該メモリコントローラ２３１からの入力されるデータに対して所定の画像処理を行う。
【００４０】
ここで行う画像処理として、主に以下に示す処理がある。
【００４１】
▲１▼画素補間処理。単版式固体撮像素子の場合、再生した各画素の色情報は、必要とされる数種類の色情報のうち、一つの情報しかなく、欠落している色情報を、近傍の画素情報より、予測補間処理する。
【００４２】
▲２▼色変換処理Ｉ。補間処理によって計算された色情報を、色変換して、輝度成分を含む、違うフォーマットの信号に変換する。
【００４３】
▲３▼輝度信号生成処理。色情報として再生された該撮像素子２０７の信号から、輝度成分を生成する。
【００４４】
▲４▼輝度信号強調処理。生成された輝度信号の輪郭部等を強調処理する。
【００４５】
▲５▼色変換処理ＩＩ。▲４▼によって、生成された輪郭強調された輝度成分と、▲２▼の色変換処理Ｉで抽出された輝度成分を交換し、Ｒ，Ｇ，Ｂの三原色信号に変換する。主に上に記述した処理により、該撮像素子２０７から出力された画素レベルの信号は、人間に視覚特性にマッチした画像信号に変換される。
【００４６】
また、該画像処理プロセッサ２１０においては、必要に応じて、撮像した画像データを用いて所定の演算処理を行い、得られた演算結果に基づいて該システムコントローラ２１８が、シャッター制御手段２３０、測距制御手段２２３に対して制御を行う、ＴＴＬ（スルー・ザ・レンズ）方式のＡＦ（オートフォーカス）処理、ＡＥ（自動露出）処理、ＥＦ（フラッシュ調光）処理を行うことが出来る。
【００４７】
さらに、該画像処理プロセッサ２１０においては、撮像した画像データを用いて所定の演算処理を行い、得られた演算結果に基づいてＴＴＬ方式のＡＷＢ（オートホワイトバランス）処理も行っている。
【００４８】
なお、本実施の形態においては、該測距手段２２３及び測光手段２２２を専用に備える構成としたため、該測距手段２２３及び該測光手段２２２を用いてＡＦ（オートフォーカス）処理、ＡＥ（自動露出）処理、ＥＦ（フラッシュ調光）処理の各処理を行い、該画像処理プロセッサ２１０を用いたＡＦ（オートフォーカス）処理、ＡＥ（自動露出）処理、ＥＦ（フラッシュ調光）処理の各処理を行わない構成としてもよい。
【００４９】
或いは、該測距手段２２３及び該測光手段２２２を用いてＡＦ（オートフォーカス）処理、ＡＥ（自動露出）処理、ＥＦ（フラッシュ調光）処理の各処理を行い、さらに、上記画像処理プロセッサ２１０を用いたＡＦ（オートフォーカス）処理、ＡＥ（自動露出）処理、ＥＦ（フラッシュ調光）処理の各処理を行う構成としてもよい。
【００５０】
該メモリコントローラ２３１は、該Ａ／Ｄ変換器２０８、該ＴＧ２０９、画像処理プロセッサ２１０、表示用メモリ２１１、該Ｄ／Ａ変換器２１２、フレームメモリ２１４、圧縮・伸長プロセッサ２１６を制御する。
【００５１】
該Ａ／Ｄ変換器２０８の画像データが該画像処理プロセッサ２１０、該メモリコントローラ２３１を介して、或いは該Ａ／Ｄ変換器２０８のデータが直接、該メモリコントローラ２３１を介して、該表示用メモリ２１１あるいは、該フレームメモリ２１４に書き込まれる。
【００５２】
２１３はＴＦＴ、ＬＣＤ等から成る画像表示部であり、該表示用メモリ２１１に書き込まれた表示用の画像データは、該Ｄ／Ａ変換器２１２を介して該画像表示部２１３により表示される。
【００５３】
該画像表示部２１３を用いて、撮像した画像データを逐次表示すれば、電子ファインダ機能を実現することが可能である。また、該画像表示部２１３は、該システムコントローラ２１８の指示により表示をＯＮ／ＯＦＦすることが可能であり、画像入力装置の消費電力を大幅に削減する事ができる。
【００５４】
該フレームメモリ２１４は、撮影した静止画像や動画像を格納するためのメモリであり、所定枚数の静止画像や所定時間に亘る動画像を格納するのに十分な記憶量を備えている。
【００５５】
従って、複数枚の静止画像を連続して撮影する連射撮影やパノラマ撮影の場合にも、高速かつ大量の画像書き込みを該フレームメモリ２１４に対して行うことが可能である。
【００５６】
該２１６圧縮・伸長プロセッサは、適応離散コサイン変換（ＡＤＣＴ）やＷａｎｅｌｅｔ変換等のアルゴリズムで時間軸情報の画像を周波数軸上に変換し、量子化、情報元符号化のプロセスによりの画像データを圧縮伸長する処理するブロックであり、該フレームメモリ２１４に格納された画像を読み込んで圧縮処理或いは伸長処理を行い、処理を終えたデータを再度、該フレームメモリ２１４に書き込む。
【００５７】
該シャッター制御手段２３０は、該測光手段２２２からの測光情報に基づいて、該絞り２０２を制御する絞り制御手段２２９と連携しながら、該シャッター２０６を制御する。
【００５８】
該測距手段２２３はＡＦ（オートフォーカス）処理を行うための測距手段である。
【００５９】
該レンズ２０１に入射した光線を、一眼レフ方式によって、該絞り２０２、ミラー２０３そして図中にはないが、測距用サブミラーを介して、該測距手段２２３に入射させることにより、光学像として結像された画像の合焦状態を測定することが出来る。
【００６０】
該測光手段２２２はＡＥ（自動露出）処理を行う。該レンズ２０１に入射した光線を、一眼レフ方式によって、絞り２０２、ミラー２０３及び２０４そして図中にはないが測光用レンズを介して、該測光手段２２２に入射させることにより、光学像として結像された画像の露出状態を測定することが出来る。該測光手段２２２は、フラッシュ２２１と連携することによりＥＦ（フラッシュ調光）処理機能も有するものである。
【００６１】
該フラッシュ２２１は、ＡＦ補助光の投光機能、フラッシュ調光機能も有する。
【００６２】
なお、該撮像素子２０７からの画像データを該画像処理プロセッサ２１０が演算して得られた演算結果に基づき、該システムコントローラ２１８が、該シャッター制御手段２３０、該絞り制御手段２２９、測距制御手段２２８に対して、ビデオＴＴＬ方式を用いて露出制御及びＡＦ（オートフォーカス）制御を行うことも可能である。
【００６３】
さらに、該測距手段２２３による測定結果と、該撮像素子２０７からの画像データを画像処理プロセッサ２１０が演算して得られた演算結果とを共に用いてＡＦ（オートフォーカス）制御を行ってもよい。
【００６４】
また、該測光手段２２２による測定結果と、該撮像素子２０７からの画像データを画像処理プロセッサ２１０が演算して得られた演算結果とを共に用いて露出制御を行ってもよい。
【００６５】
該システムコントローラ２１８は、画像入力装置全体を制御するシステム制御部であり、２４０は該システムコントローラ２１８動作用の定数、変数、プログラム等を記憶するメモリである。
【００６６】
２４１は、該システムコントローラ２１８でのプログラムの実行に応じて、文字、画像、音声等を用いて動作状態やメッセージ等を表示する液晶表示装置、スピーカ等から成る表示部であり、画像入力装置の操作部近辺に単数或いは複数個所設置され、例えばＬＣＤやＬＥＤ、発音素子等の組み合わせにより構成される。また、該表示部２４１は、その一部の機能が光学ファインダ２０５内に設置される。
【００６７】
該表示部２４１の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、外部記録媒体２３７、通信Ｉ／Ｆ動作表示、日付け・時刻表示、外部コンピュータとの接続状態を示す表示、あるいは、接続した外部機器からの情報、および、プログラムの実行によるユーザＩ／Ｆ用の画面等がある。
【００６８】
また、該表示部２４１の表示内容のうち、該光学ファインダ２０５内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示等がある。
【００６９】
さらに、該表示部２４１の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示等がある。
【００７０】
そして、該表示部２４１の表示内容のうち、ランプ等に表示するものとしては、例えば、セルフタイマー通知ランプ等がある。このセルフタイマー通知ランプは、ＡＦ補助光と共用して用いてもよい。
【００７１】
２４２は電気的に消去・記録可能な不揮発性メモリであり、例えばＥＥＰＲＯＭ等が用いられる。
【００７２】
２３２、２３３、２３４、２３５、２４３、２４４及び２４５は、該システムコントローラ２１８へ各種の動作指示を入力するための操作手段であり、スイッチやダイアル、タッチパネル、視線検知によるポインティング、音声認識装置等の単数或いは複数の組み合わせで構成される。
【００７３】
２３２はモードダイアルスイッチであり、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード等の各機能撮影モードを切り替え設定することが出来る。
【００７４】
２３３はシャッタースイッチＳＷ１であり、シャッターボタン１０２の操作途中（半押し）でＯＮとなり、ＡＦ（オートフォーカス）処理、ＡＥ（自動露出）処理、ＡＷＢ（オートホワイトバランス）処理、ＥＦ（フラッシュ調光）処理等の動作開始を指示する。
【００７５】
２４５はシャッタースイッチＳＷ２であり、シャッターボタン１０２の操作完了（全押し）でＯＮとなり、該撮像素子２０７から読み出した信号を該Ａ／Ｄ変換器２０８、該メモリコントローラ２３１を介して該フレームメモリ２１４に画像データを書き込む露光処理、該画像処理プロセッサ２１０や該メモリコントローラ２３１での演算を用いた現像処理、該フレームメモリ２１４から画像データを読み出し、該圧縮・伸長プロセッサ２１６で圧縮を行い、記録媒体２３７に画像データを転送する一連の処理の動作開始を指示する。
【００７６】
２３４はＡＥＢ（オート・エクスポージャー・ブラケッティング）設定スイッチであり、１回の撮影で標準露光値、オーバー露光値、アンダー露光値の３駒分を自動段階露光するＡＥＢ撮影モードを設定すると共に、その際の補正ステップ値も設定する際に使用される。
【００７７】
なお、プラスボタン及びマイナスボタン、或いは回転ダイアルスイッチを用いれば、より軽快に補正ステップ値を設定することが可能となる。
【００７８】
２３５は単写／連写スイッチであり、該シャッタースイッチＳＷ２（２４５）を押した場合に１駒の撮影を行って待機状態とする単写モードと、該シャッタースイッチＳＷ２（２４５）を押している間は連続して撮影を行い続ける連写モードとを設定することが出来る。
【００７９】
２４３は各種ボタンやタッチパネル等からなる操作部であり、メニューボタン、セットボタン、マクロボタン、マルチ画面再生ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタン、該画像表示部２１３のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択したり、撮像素子の信号をそのままデジタル化して記録媒体に記録するＣＣＤＲＡＷモードを選択したりするためのスイッチである圧縮モードスイッチ、再生モード、マルチ画面再生・消去モード、ＰＣ接続モード等の各機能モードを設定するための再生スイッチ、シャッタースイッチＳＷ１（２３３）を押したならばオートフォーカス動作を開始し一旦、合焦したならばその合焦状態を保ち続けるワンショットＡＥモードと、該シャッタースイッチＳＷ１（２３３）を押している間は連続してオートフォーカス動作を続けるサーボＡＦモードとを設定することが出来るＡＦモード設定スイッチ、撮影モード状態において撮影した画像を該フレームメモリ２１４或いは該記録媒体２３７に書き込むかを設定することが出来るスイッチ、接続した外部機器からの情報あるいは制御するためのスイッチ、該システムコントローラ２１８でのプログラムの実行に応じて表示したユーザＩ／Ｆに対応するスイッチ等がある。
【００８０】
また、上記プラスボタン及びマイナスボタンの各機能は、回転ダイアルスイッチを備えることによって、より軽快に数値や機能を選択することが可能となる。
【００８１】
メモリＩ／Ｆ２３６は、該記録媒体２３７に、該フレームメモリ２１４に格納されている画像データを書き込んだり、また  その逆で、該記録媒体２３７に格納されている画像データを、該フレームメモリ２１４に読みこむ為のインターフェースである。
【００８２】
外部Ｉ／Ｆ２３８は、該フレームメモリ２１４上に格納されている画像データを、外部情報機器及び外部記録装置に転送、または、その逆に、外部情報機器及び外部記録装置から、該フレームメモリ２１４に転送する為のインターフェースである。
【００８３】
２４４は、該記録媒体２３７が装着されているか否かを検知する記録媒体着脱検知手段である。該メモリＩ／Ｆ２３６及び該外部Ｉ／Ｆ２３８、としては、ＰＣＭＣＩＡカードやＣＦ（コンパクトフラッシ（登録商標））カード等の規格に準拠したものを用いて構成してもよい。さらに、該メモリＩ／Ｆ２３６及び該外部Ｉ／Ｆ２３８をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００８４】
通信Ｉ／Ｆ２４６は、外部Ｉ／Ｆ２３８で接続できる汎用の通信機器を除く、専用の外部機器あるいはネットワークとの通信を、通信装置２４７を使って行う。
【００８５】
通信装置２４７は、赤外線やＢｌｕｅｔｏｏｔｈ、あるいは、ＰＨＳ等を使用した限定したネットワーク接続を行う。
【００８６】
該光学ファインダ２０５において、該レンズ２０１に入射した光線を、一眼レフ方式によって、該絞り２０２、ミラー２０３及び２０４を介して導き、光学像として結像表示することが出来る。これにより、該画像表示部２１３による電子ファインダ機能を使用すること無しに、該光学ファインダ２０５のみを用いて撮影を行うことが可能である。また、該光学ファインダ２０５内には、該表示部２１３の一部の機能、例えば、合焦表示、手振れ警告表示、フラッシュ充電表示、シャッタースピード表示、絞り値表示、露出補正表示などが設置されている。
【００８７】
カメラＩ／Ｆ２２０は、該システムコントローラ２１８との間で制御信号、状態信号、データ信号等を伝え合う。
【００８８】
光学ミラー２０３，２０４は、該レンズ２０１に入射した光線を、一眼レフ方式によって該光学ファインダ２０５に導くことが出来る。なお、該ミラー２０３は、クイックリターンミラーの構成としても、ハーフミラーの構成としても、どちらでもよい。
【００８９】
該記録媒体２３７は、メモリカードやハードディスク等の記録媒体である。該記録媒体２３７は、半導体メモリや磁気ディスク等から構成される記録部、インターフェース、コネクタを備えている。
【００９０】
該絞り制御手段２２９は、該測光手段２２２からの測光情報に基づいて、該シャッター２０６を制御する該シャッター制御手段２３０と連携しながら、該絞り２０２を制御する。
【００９１】
該測距制御手段２２８は該レンズ２０１のフォーカシングを制御する制御手段であり、該ズーム手段２２７は、該レンズ２０１のズーミングを制御するズーム制御手段である。
【００９２】
２２６は、該絞り制御手段２２９、測距制御手段２２８、ズーム制御手段２２７等の該レンズ２０１全体を制御するシステムを管理制御するレンズ制御手段である。該レンズ制御手段２２６は、該レンズ２０１の動作用の定数、変数、プログラム等を記憶するメモリの機能や、該レンズ２０１の固有番号等の識別情報、管理情報、開放絞り値や最小絞り値、焦点距離等の機能情報、現在や過去の各設定値などを保持する不揮発メモリの機能も備えている。
【００９３】
＜コントロールモード設定方法＞
図３は２台のカメラでのリモートコントロールモードの設定方法の流れを示した図である。以下、被リモートコントロールモードを設定するカメラをカメラＡ、リモートコントロールモードを設定するカメラをカメラＢとして説明する。
【００９４】
カメラＡにおいてモード切り替えボタン１０１を操作することによって再生モードに切り替える。（Ｓ３０１）これによってカメラＡは再生モードに移行する。（Ｓ３０２）
カメラＡにおいてシャッター１０２を半押し状態にする。（Ｓ３０３）半押し状態にして１秒が経過するとカメラＡはモニタ画面１０３に「親機検索中」と表示する。（Ｓ３０４）図４はそのときの状態を表した図である。このときカメラＡは通信Ｉ／Ｆを通して現在無線ＬＡＮに接続されている他の機器に対して親機検索信号及びカメラＡのアドレスを送信する。（Ｓ３０５）
このとき、カメラＡと同じＬＡＮに接続状態にある全てのカメラはカメラＡからの親機検索リクエストを受け取ることになる。（Ｓ３０６）図５はこのときのカメラＢの受信状態を表した図である。
【００９５】
この状態でカメラＢにおいてモード切り替えボタン１０１を操作することによって再生モードに切り替える。（Ｓ３０７）カメラＢは再生モードに切り替わる。（Ｓ３０８）この状態でカメラＢのシャッターを押下する（Ｓ３０９）
カメラＢはカメラＡに対して親機候補信号とカメラＢのアドレスを送信する。（Ｓ３１０）
カメラＡでカメラＢからの親機候補信号を受信すると、カメラＡは被リモートコントロールモードに移行し、被リモートコントロールマーク６０１を表示する。
（Ｓ３１１）図６は被リモートコントロールマークを表示したカメラＡのモニタ画面を示した図である。
【００９６】
被リモートコントロールモードに移行すると、カメラＡはカメラＢに対して親機確定信号とカメラＢのアドレスを送信する。（Ｓ３１２）
カメラＢはカメラＡからの親機確定信号を受信すると、そのアドレスがＳ３１０で返信したカメラのアドレスと等しいことを確認し、リモートコントロールモードに遷移する。このとき、カメラＡのモニタ画面にリモートコントロールマーク７０１を表示する。（Ｓ３１３）図７はリモートコントロールマークを表示したカメラＢのモニタ画面を示した図である。
【００９７】
尚、親機候補信号を受信する前にカメラＡのシャッター半押し状態を終了した場合には、カメラＡは被リモートコントロールモードに移行しない。また、カメラＢで親機候補信号を送信後１秒以内に親機確定信号が受信されなかった場合には、リモートコントロールモードには遷移しない。
【００９８】
また、被リモートコントロールモードになったカメラＡで何らかのボタン操作を行うと被リモートコントロールモードは終了し、被リモートコントロールモード終了信号がカメラＢに送信される。このとき、カメラＢがリモートコントロールモードを終了することは言うまでもない。
【００９９】
逆に、リモートコントロールモード中のカメラＢで、再生モードでシャッターを押下するとリモートコントロールモードは終了し、リモートコントロールモード終了信号がカメラＡに送信される。このとき、カメラＡが被リモートコントロールモードを終了することも言うまでもない。
【０１００】
＜システムコントローラの制御・単独カメラの場合＞
図８は本実施の形態における電子カメラ内のシステムコントローラ２１８の処理内容を表した図である。
【０１０１】
システムコントローラ２１８内にはデバイスに対応するＤｅｖｉｃｅ  Ｃｏｎｔｒａｌ２１８１、入力操作をコマンドに変換するＯｐｅｒａｔｉｏｎ  Ｃｏｎｔｒｏｌ２１８２、コマンドを実行するＣｏｍｍａｎｄ  Ｐｒｏｃｅｓｓｏｒ２１８３及び表示部２４１、画像表示部２１３を制御するＤｉｓｐｌａｙ  Ｃｏｎｔｒｏｌ２１８４の４種類の制御モジュールから構成される。
【０１０２】
まずステップＳ８０１にてカメラ操作に関する入力があると入力情報はボタン、ダイアル等、各デバイスからＤｅｖｉｃｅ  Ｃｏｎｔｒｏｌ２１８１にその情報が渡される。
Ｄｅｖｉｃｅ  Ｃｏｎｔｒｏｌ２１８１は何のデバイスにどんな操作が行われたかをＯｐｅｒａｔｉｏｎ  Ｃｏｎｔｒｏｌ２１８２に渡す。（ステップＳ８０２）
Ｏｐｅｒａｔｉｏｎ  Ｃｏｎｔｒｏｌ２１８２はＤｅｖｉｃｅ  Ｃｏｎｔｒｏｌ２１８１から渡された情報を元に、そのデバイス操作に対応するコマンドが何かを検査し（ステップＳ８０３）、対応するコマンドをＣｏｍｍａｎｄ  Ｐｒｏｃｅｓｓｏｒ２１８３に渡す。（ステップＳ８０４Ｘ、ステップＳ８０４Ｙ）ここで渡されるコマンドには２種類のパターンがある。ひとつは上下左右のボタン１０６の押下やサブメニューを選択するためのＳＥＴボタン１０５の押下等、メニューの選択項目の切り替えやメニュー自体の表示切り替えを行うための操作（ステップＳ８０４Ｘ）であり、もうひとつはＳＥＴボタン１０５によるデバイス設定を決定するための操作（ステップＳ８０４Ｙ）である。前者の設定の場合にはＣｏｍｍａｎｄ  Ｐｒｏｃｅｓｓｏｒ２１８３はＤｉｓｐｌａｙ  Ｃｏｎｔｒｏｌ２１８４に対して画面、メニューの切り替え命令を送る。（ステップＳ８０５Ｘ）Ｄｉｓｐｌａｙ  Ｃｏｎｔｒｏｌ２１８４は命令に応じて表示部２４１に表示するべきメニュー等、表示内容を切り替える。（ステップＳ８０６Ｘ）後者の場合にはＣｏｍｍａｎｄ  Ｐｒｏｃｅｓｓｏｒ２１８３は画面、メニューの切り替え命令に加えてＤｅｖｉｃｅ  Ｃｏｎｔｒｏｌ２１８１に対して各種デバイスへの制御コマンドを発行する。
【０１０３】
（ステップＳ８０５Ｙ）Ｄｅｖｉｃｅ  Ｃｏｎｔｒｏｌ２１８１は制御コマンドに応じて各デバイスの設定を変更する。（ステップＳ８０６Ｙ）
図９は本実施の形態における電子カメラにおいて、撮影前の入力映像を表示する時の処理の流れを示した図である。
【０１０４】
撮像素子２０７からＡ／Ｄ変換器２０８を経由した画像は画像処理プロセッサ２１０に送られる。（Ｓ９０１）画像処理プロセッサ２１０で処理された表示画像はシステムコントローラ２１８内のＤｉｓｐｌａｙ  Ｃｏｎｔｒｏｌに送られる。（Ｓ９０２）Ｄｉｓｐｌａｙ  Ｃｏｎｔｒｏｌは画像処理プロセッサから送られてきた映像を表示用メモリ２１１を経由して画像表示部２１３に表示する。
【０１０５】
＜システムコントローラの制御・リモートコントロール時＞
図１０は本実施の形態における電子カメラにおいて、リモートコントロール時の処理の流れを示した図である。
【０１０６】
リモート制御されるカメラＡ及びリモート制御するカメラＢが同一製品であると、入力デバイスは同じ物が装備されている。つまり、カメラＢに存在するボタン、ダイアル等は同じ物がカメラＡにも存在することになる。しかし、ファームウェアのバージョン等によっては、同じボタン操作を行ったとしても異なるメニューが表示されたり、異なる機能が追加されていることは考えられる。本実施の形態ではカメラＡに提供されている機能がカメラＢにないとしてもカメラＡの機能をＢから全て制御できることを特徴とする。
【０１０７】
まず最初にリモートコントロールモードになっているカメラＢで、ボタン、ダイヤル等を操作すると、システムコントローラ２１８Ｂ内のＤｅｖｉｃｅ  Ｃｏｎｔｒｏｌ２１８１Ｂにその入力情報が伝えられる。（ステップＳ１００１）
Ｄｅｖｉｃｅ  Ｃｏｎｔｒｏｌ２１８１Ｂは何のデバイスにどんな操作が行われたかを通信制御モジュールであるＴｒａｎｓｍｉｓｓｉｏｎ  Ｃｏｎｔｒｏｌ２１８５Ｂに渡す。（ステップＳ１００２）
カメラＢのＴｒａｎｓｍｉｓｓｉｏｎ  Ｃｏｎｔｒｏｌ２１８５Ｂは通信Ｉ／Ｆ２４６Ｂ、Ａを介してカメラＡのＴｒａｎｓｍｉｓｓｉｏｎ  Ｃｏｎｔｒｏｌ２１８５ＡにカメラＢの操作に関する情報を渡す。（ステップＳ１００３）
カメラＡのＴｒａｎｓｍｉｓｓｉｏｎ  Ｃｏｎｔｒｏｌ２１８５ＡはカメラＢの入力操作に関する情報をＯｐｅｒａｔｉｏｎ  Ｃｏｎｔｒｏｌ２１８２Ａに渡す。（ステップＳ１００４）
カメラＡのＯｐｅｒａｔｉｏｎ  Ｃｏｎｔｒｏｌ２１８２ＡはＴｒａｎｓｍｉｓｓｉｏｎ  Ｃｏｎｔｒｏｌ２１８５Ａから渡された情報を元に、その入力操作に対応するコマンドが何かを検査し（ステップＳ１００５）、対応するコマンドをＣｏｍｍａｎｄ  Ｐｒｏｃｅｓｓｏｒ２１８３Ａに渡す。（ステップＳ１００６Ｘ、ステップＳ１００６Ｙ）ここで渡されるコマンドには２種類のパターンがある。ひとつは上下左右のボタン１０６Ｂの押下やサブメニューを選択するためのＳＥＴボタン１０５Ｂの押下等、メニューの選択項目の切り替えやメニュー自体の表示切り替えを行うための操作（ステップＳ１００６Ｘ）であり、もうひとつはＳＥＴボタン１０５Ｂによるデバイス設定を決定するための操作（ステップＳ１００６Ｙ）である。
【０１０８】
前者の設定の場合にはＣｏｍｍａｎｄ  Ｐｒｏｃｅｓｓｏｒ２１８３ＡはＤｉｓｐｌａｙ  Ｃｏｎｔｒｏｌ２１８４Ａに対して画面、メニューの切り替え命令を送る。（ステップＳ１００７Ｘ）Ｄｉｓｐｌａｙ  Ｃｏｎｔｒｏｌ２１８４Ａは命令に応じて表示するべきメニュー等、表示内容を切り替えるための処理を行う。このとき、カメラＢの操作が撮影モードであれば、画像処理プロセッサ２１０Ａから送られてくる映像情報に表示にＣｏｍｍａｎｄ  Ｐｒｏｃｅｓｓｏｒ２１８３Ａからの命令に応じたメニュー等を重ね合わせ、画面表示情報をＴｒａｎｓｍｉｓｓｉｏｎ  Ｃｏｎｔｒｏｌ２１８５Ａに送る。（ステップ１００８Ｘ）
後者の場合にはＣｏｍｍａｎｄ  Ｐｒｏｃｅｓｓｏｒ２１８３Ａは画面、メニューの切り替え命令に加えてＤｅｖｉｃｅ  Ｃｏｎｔｒｏｌ２１８１Ａに対して各種デバイスへの制御コマンドを発行する。
【０１０９】
（ステップＳ１００７Ｙ）Ｄｅｖｉｃｅ  Ｃｏｎｔｒｏｌ２１８１Ａは制御コマンドに応じて各デバイスの設定を変更する。（ステップＳ１００８Ｙ）
ステップＳ１００８Ｘによって画面表示情報を受け取ったＴｒａｎｓｍｉｓｓｉｏｎ  Ｃｏｎｔｒｏｌ２１８５Ａは通信Ｉ／Ｆ２４６Ａ、Ｂを介してその情報をカメラＢのＴｒａｎｓｍｉｓｓｉｏｎ  Ｃｏｎｔｒｏｌ２１８５Ｂに送信する。（ステップＳ１００９Ｘ）
カメラＢのＴｒａｎｓｍｉｓｓｉｏｎ  Ｃｏｎｔｒｏｌ２１８５ＢはカメラＡのＴｒａｎｓｍｉｓｓｉｏｎ  Ｃｏｎｔｒｏｌ２１８５Ａから表示情報を受け取ると、その情報をカメラＢのＤｅｖｉｃｅ  Ｃｏｎｔｒｏｌ２１８４Ｂに渡す。（ステップＳ１０１０Ｘ）
カメラＢのＤｉｓｐｌａｙ  Ｃｏｎｔｒｏｌ２１８４ＢはＴｒａｎｓｍｉｓｓｉｏｎ  Ｃｏｎｔｒｏｌ２１８５Ｂから表示情報を受け取ると、あたかもその情報が画像処理プロセッサ２１０Ｂから送信されてきた映像信号であるかのごとく画像表示部２１３Ｂに表示する。
【０１１０】
以上の処理を行うことによって、カメラＢでの入力操作はあたかもカメラＡを直接操作したかのごとく、カメラＡのデバイスを制御することができ、カメラＢを撮影モードにしてシャッターＳＷ１（２３３Ｂ）及びシャッターＳＷ２（２４５Ｂ）を押下すると、あたかもカメラＡのシャッターＳＷ１（２３３Ａ）、シャッターＳＷ２（２４５Ａ）が押下されたかのごとくカメラＡで撮影を行うことができる。また、カメラＡを通して得られる映像はあたかもカメラＡの表示部に表示されているかのごとくカメラＢの表示部に表示することができる。
【０１１１】
尚、本実施の形態では、カメラＢからのリモート制御を行いながらカメラＡで撮影された画像はカメラＡの外部記録媒体３３７Ａに保管されるが、この撮影画像情報もＴｒａｎｓｍｉｓｓｉｏｎ  Ｃｏｎｔｒｏｌ２１８５Ａ及び２１８５Ｂを経由することによってカメラＢの外部記録媒体３３７Ｂに保管するようにしても良い。
【０１１２】
（他の実施の形態）
第１の実施の形態では同一機種の電子カメラを使用してのリモートコントロール制御を実現した。が、一般に異機種の電子カメラ間でも相互に共通の機能を多数有している場合が多い。
【０１１３】
図１１は異機種の電子カメラ間でリモートコントロール制御を行うときの処理の流れを示した図である。尚、図１１に示したリモートコントロール制御方法で、同一機種の電子カメラ間の制御を行うこともできる。
【０１１４】
まず、最初にリモートコントロールモードになっているカメラＢで、ボタン、ダイヤル等を操作すると、システムコントローラ２１８Ｂ内のＤｅｖｉｃｅ  Ｃｏｎｔｒｏｌ２１８１Ｂにその入力情報が伝えられる。（ステップＳ１１０１）
Ｄｅｖｉｃｅ  Ｃｏｎｔｒｏｌ２１８１Ｂは何のデバイスにどんな操作が行われたかをＯｐｅｒａｔｉｏｎ  Ｃｏｎｔｒｏｌ２１８２Ｂに渡す。（ステップＳ１１０２）
Ｏｐｅｒａｔｉｏｎ  Ｃｏｎｔｒｏｌ２１８２ＢはＤｅｖｉｃｅ  Ｃｏｎｔｒｏｌ２１８１Ｂから渡された情報を元に、そのデバイス操作に対応するコマンドが何かを検査し（ステップＳ１１０３）、対応するコマンドをＣｏｍｍａｎｄ  Ｐｒｏｃｅｓｓｏｒ２１８３Ｂに渡す。（ステップＳ１１０４Ｘ、ステップＳ１１０４Ｙ）ここで渡されるコマンドには２種類のパターンがある。ひとつは上下左右のボタン１０６Ｂの押下やサブメニューを選択するためのＳＥＴボタン１０５Ｂの押下等、メニューの選択項目の切り替えやメニュー自体の表示切り替えを行うための操作（ステップＳ１１０４Ｘ）であり、もうひとつはＳＥＴボタン１０５Ｂによるデバイス設定を決定するための操作（ステップＳ１１０４Ｙ）である。前者の設定の場合にはＣｏｍｍａｎｄ  Ｐｒｏｃｅｓｓｏｒ２１８３ＢはＤｉｓｐｌａｙ  Ｃｏｎｔｒｏｌ２１８４Ｂに対して画面、メニューの切り替え命令を送る。（ステップＳ１１０５Ｘ）Ｄｉｓｐｌａｙ  Ｃｏｎｔｒｏｌ２１８４Ｂは命令に応じて表示部２４１Ｂに表示するべきメニュー等、表示内容を切り替える。（ステップＳ１１０６Ｘ）後者の場合にはＣｏｍｍａｎｄ  Ｐｒｏｃｅｓｓｏｒ２１８３ＢはＴｒａｎｓｍｉｓｓｉｏｎ  Ｃｏｎｔｒｏｌ２１８５Ｂに対して各種デバイスへの制御コマンドを発行し、その結果がエラーでなければ後述するカメラＡから送られる映像情報がある場合にはその映像情報と合わせて、ステップＳ１１０５Ｘ同様の画面、メニューの切り替え命令を発行する。また、上記結果がエラーであった場合にはＤｉｓｐｌａｙ  Ｃｏｎｔｒｏｌ２１８４Ｂに対してカメラＡ側に対応する機能がないことを示すエラーメッセージの表示を要求する。なお、エラー表示は常に行っても良いが、エラーとなるのは通常カメラＡに対応する機能がない場合であるため、そのような場合には次の操作を円滑に進めるためエラー表示はしなくても構わない。
【０１１５】
カメラＢのＴｒａｎｓｍｉｓｓｉｏｎ  Ｃｏｎｔｒｏｌ２１８５Ｂは通信Ｉ／Ｆ２４６Ｂ，Ａを介してカメラＡのＴｒａｎｓｍｉｓｓｉｏｎ  Ｃｏｎｔｒｏｌ２１８５ＡにカメラＢの制御コマンドに関する情報を渡す。（ステップＳ１１０６Ｙ）
カメラＡのＴｒａｎｓｍｉｓｓｉｏｎ  Ｃｏｎｔｒｏｌ２１８５ＡはカメラＢの制御コマンドに関する情報をＣｏｍｍａｎｄ  Ｐｒｏｃｅｓｓｏｒ２１８３Ａに渡す。（ステップＳ１１０７Ｙ）このとき、カメラＡに対応する制御コマンドがなければ、カメラＡのＣｏｍｍａｎｄ  Ｐｒｏｃｅｓｓｏｒ２１８３ＡはＴｒａｎｓｍｉｓｓｉｏｎ  Ｃｏｎｔｒｏｌ２１８５Ａに対してエラーを返し、カメラＡのＴｒａｎｓｍｉｓｓｉｏｎ  Ｃｏｎｔｒｏｌ２１８５ＡはカメラＢのＴｒａｎｓｍｉｓｓｉｏｎ  Ｃｏｎｔｒｏｌ２１８５Ｂにエラーを返す。カメラＢのＴｒａｎｓｍｉｓｓｉｏｎ  Ｃｏｎｔｒｏｌ２１８５ＢはＣｏｍｍａｎｄ  Ｐｒｏｃｅｓｓｏｒ２１８３Ｂにエラーを返す。
【０１１６】
カメラＡにカメラＢからの制御コマンドに対応する制御コマンドが存在する場合にはＣｏｍｍａｎｄ  Ｐｒｏｃｅｓｓｏｒ２１８３ＡはＤｅｖｉｃｅ  Ｃｏｎｔｒｏｌ２１８１Ａに対して各種デバイスへの制御コマンドを発行する。（ステップＳ１１０８Ｙ）
Ｄｅｖｉｃｅ  Ｃｏｎｔｒｏｌ２１８１Ａは制御コマンドに応じて各デバイスの設定を変更する。（ステップＳ１１０９Ｙ）
ステップＳ１１０９Ｙによってズーム等の操作が行われると、Ｄｉｓｐｌａｙ  Ｃｏｎｔｒｏｌ２１８４Ａは画像処理プロセッサ２１０Ａから送られてくる映像情報をＴｒａｎｓｍｉｓｓｉｏｎ  Ｃｏｎｔｒｏｌ２１８５Ａに渡す。（ステップＳ１１１０）
Ｔｒａｎｓｍｉｓｓｉｏｎ  Ｃｏｎｔｒｏｌ２１８５ＡはカメラＢのＴｒａｎｓｍｉｓｓｉｏｎ  Ｃｏｎｔｒｏｌ２１８５Ｂに映像情報を渡し（ステップＳ１１１１）カメラＢのＴｒａｎｓｍｉｓｓｉｏｎ  Ｃｏｎｔｒｏｌ２１８５ＢはＤｉｓｐｌａｙ  Ｃｏｎｔｒｏｌ２１８４Ｂにその情報を渡す。（ステップＳ１１１２）Ｄｉｓｐｌａｙ２１８４Ｂはその映像を表示部２１３Ｂに表示する。
【０１１７】
以上の処理を行うことによって、異機種の電子カメラを使用してもそれぞれのカメラに共通する機能に関しては、カメラＢでの入力操作はあたかもカメラＡを直接操作したかのごとく、カメラＡのデバイスを制御することができ、カメラＢを撮影モードにしてシャッターＳＷ１（２３３Ｂ）及びシャッターＳＷ２（２４５Ｂ）を押下すると、あたかもカメラＡのシャッターＳＷ１（２３３Ａ）、シャッターＳＷ２（２４５Ａ）が押下されたかのごとくカメラＡで撮影を行うことができる。また、カメラＡを通して得られる映像はあたかもカメラＡの表示部に表示されているかのごとくカメラＢの表示部に表示することができる。
【０１１８】
【発明の効果】
以上説明したように、本発明によれば複数の電子カメラを相互に通信制御することにより、他の電子カメラのリモートコントロール装置として利用できるようにする電子カメラを提供することができる。また、本発明によってカメラの遠隔操作状態が容易に識別できる電子カメラを提供することができる。また、本発明によって、容易に遠隔操作モードの成立、及び終了を制御するための手段を提供することができる。
【図面の簡単な説明】
【図１】本発明の実施形における電子カメラの外観を示した図である。
【図２】本実施の形態における電子カメラの内部構成を示した図である。
【図３】本実施の形態における２台のカメラでのリモートコントロールモードの設定方法の流れを示した図である。
【図４】本実施の形態における電子カメラが親機を検索しているときのモニタ画面を示した図である。
【図５】本実施の形態における電子カメラで、他の電子カメラからの親機検索リクエストを受信した時に表示するモニタ画面を示した図である。
【図６】本実施の形態における電子カメラで、被リモートコントロールモードに遷移したことを示すマークを表示したモニタ画面の一例である。
【図７】本実施の形態における電子カメラで、リモートコントロールモードに遷移したことを示すマークを表示したモニタ画面の一例である。
【図８】本実施の形態における電子カメラ内のシステムコントローラ２１８の処理内容を示した図である。
【図９】本実施の形態における電子カメラにおいて、撮影前の入力映像を表示する時の処理の流れを示した図である。
【図１０】本実施の形態における電子カメラにおいて、リモートコントロール時の処理の流れを示した図である。
【図１１】第２の実施の形態における異機種の電子カメラ間でリモートコントロール制御を行うときの処理の流れを示した図である。
【図１】
2005051340.tif 000003
【図２】
2005051340.tif 000004
【図３】
2005051340.tif 000005
【図４】
2005051340.tif 000006
【図５】
2005051340.tif 000007
【図６】
2005051340.tif 000008
【図７】
2005051340.tif 000009
【図８】
2005051340.tif 000010
【図９】
2005051340.tif 000011
【図１０】
2005051340.tif 000012
【図１１】
2005051340.tif 000013